(57)【要約】【課題】外部から自動販売機に対して募金情報の設定や変更を容易に行うこと。【解決手段】自動販売機２１を用いた募金システム１０にて、配信サーバ１１が記憶する募金の対象となる各自動販売機２１で行う募金の種類と、募金の実施期間との情報を、募金を行う対象となる自動販売機２１に配信して、自動販売機２１に設定させるとともに、自動販売機２１で行われた募金の金額を自動販売機管理サーバ５１と募金団体の募金団体サーバ６１にそれぞれ送信する。【選択図】        図１
2007041884.tif 000002
【特許請求の範囲】
【請求項１】
募金を行う対象となる複数の自動販売機と、前記募金の種類と、前記募金の実施期間との情報を少なくとも含む募金情報を指定する対象指定手段と、
前記対象指定手段で指定された募金の種類と、前記募金の実施期間との情報を、前記指定された複数の自動販売機に配信する配信手段と、
を備えることを特徴とする情報配信装置。
【請求項２】
前記対象指定手段で指定された前記募金情報を管理し、即時または定期的に前記募金の種類と、前記募金の実施期間との情報を前記配信手段から前記複数の自動販売機に配信させる管理手段を、
さらに備えることを特徴とする請求項１に記載の情報配信装置。
【請求項３】
商品を販売もしくはサービスを指定する販売提供手段と、
入力する募金の種類と、前記募金の実施期間との情報を設定する設定手段と、
前記設定手段で設定された募金の種類、前記募金の実施期間に基づき、募金の受け付けを許可する許可手段と、
前記商品もしくは前記サービスに対して支払われる代金および前記募金に対して支払われる募金金額を入金する入金手段と、
を備えることを特徴とする募金可能な自動販売機。
【請求項４】
前記許可手段により許可された募金のうち、所望の募金を指定する募金指定手段と、
前記募金指定手段により指定された所望の募金先へ募金する募金金額を指定する金額指定手段と、
をさらに備えることを特徴とする請求項３に記載の募金可能な自動販売機。
【請求項５】
前記入金手段から入金された募金金額を前記募金指定手段により指定された所望の募金先および自機の管理先に通知する通知手段と、
をさらに備えることを特徴とする請求項４に記載の募金可能な自動販売機。
【請求項６】
前記許可手段により許可された募金を表示する表示手段を、
さらに備え、前記募金指定手段は、前記表示手段に表示された募金のうち、所望の募金を指定することを特徴とする請求項４または５に記載の募金可能な自動販売機。
【請求項７】
電子マネーシステムを利用した先払いあるいは後払いのカードまたは携帯電話機から入金情報を取得する入金情報取得手段を、
さらに備え、前記通知手段は、前記入金情報取得手段により取得された入金情報を前記募金指定手段により指定された所望の募金先および自機の管理先に通知することを特徴とする請求項５または６に記載の募金可能な自動販売機。
【請求項８】
少なくとも募金を行う対象となる複数の自動販売機と、前記募金の種類と、前記募金の実施期間との情報を含む募金情報を指定する対象指定手段と、前記対象指定手段で指定された募金の種類と、前記募金の実施期間との情報を、前記指定された複数の自動販売機に配信する配信手段と、を有する情報配信装置と、
商品を販売もしくはサービスを指定する販売提供手段と、前記配信装置から入力する募金の種類と、前記募金の実施期間との情報を設定する設定手段と、前記設定手段で設定された募金の種類、前記募金の実施期間に基づき、募金の受け付けを許可する許可手段と、前記商品もしくは前記サービスに対して支払われる代金および前記募金に対して支払われる募金金額を入金する入金手段と、を有する複数の自動販売機と、
前記情報配信装置と前記自動販売機とを接続させるネットワークと、
を備えることを特徴とする募金システム。
【請求項９】
少なくとも募金を行う対象となる複数の自動販売機と、前記募金の種類と、前記募金の実施期間との情報を含む募金情報を指定する対象指定ステップと、
前記対象指定ステップで指定された募金の種類と、前記募金の実施期間との情報を、前記指定された複数の自動販売機に配信する配信ステップと、
商品を販売もしくはサービスを指定する販売提供ステップと、
前記配信ステップで配信されて入力する前記募金の種類と、前記募金の実施期間との情報を設定する設定ステップと、
前記設定ステップで設定された募金の種類、前記募金の実施期間に基づき、募金の受け付けを許可する許可ステップと、
前記商品もしくは前記サービスに対して支払われる代金および前記募金に対して支払われる募金金額を入金する入金ステップと、
を含むことを特徴とする募金方法。
【請求項１０】
前記対象指定ステップで指定された前記募金情報を管理し、即時または定期的に前記募金の種類と、前記募金の実施期間との情報を前記複数の自動販売機に配信させる管理ステップを、
さらに含むことを特徴とする請求項９に記載の募金方法。
【請求項１１】
前記許可ステップにより許可された募金のうち、所望の募金を指定する募金指定ステップと、
前記募金指定ステップにより指定された所望の募金先へ募金する募金金額を指定する金額指定ステップと、
をさらに含むことを特徴とする請求項９または１０に記載の募金方法。
【請求項１２】
前記入金ステップから入金された募金金額を前記募金指定ステップにより指定された所望の募金先および自機の管理先に通知する通知手段と、
をさらに含むことを特徴とする請求項１１に記載の募金方法。
【請求項１３】
前記許可ステップにより許可された募金を表示する表示ステップを、
さらに含み、前記募金指定ステップでは、前記表示ステップに表示された募金のうち、所望の募金を指定することを特徴とする請求項１１または１２に記載の募金方法。
【請求項１４】
電子マネーシステムを利用した先払いあるいは後払いのカードまたは携帯電話機から入金情報を取得する入金情報取得ステップを、
さらに含み、前記通知ステップでは、前記入金情報取得ステップにより取得された入金情報を前記募金指定ステップにより指定された所望の募金先および自機の管理先に通知することを特徴とする請求項１２または１３に記載の募金方法。
【発明の詳細な説明】
【技術分野】
【０００１】
本発明は、情報配信装置、自動販売機、募金システムおよび募金方法に関し、特に募金の種類、募金の実施時期を設定する情報配信装置、自動販売機、募金システムおよび募金方法に関するものである。
【背景技術】
【０００２】
従来、街頭募金や店頭募金などの一般的な募金は、たとえば募金先の団体がどのような団体であるのか判らなかったり、またたとえ募金団体が判っていてもその募金団体に拘わる正規の人間が募金活動を行っているのか判らない等、安心して募金することができない、また募金を行いたいが身近で募金できないなどの多くの問題点があった。そこで、近年、自動販売機を用いてたとえば商品や駐車料金などのサービスを指定して、その購入代金の清算を行う際に、釣銭を払い出す代わりに、所定の募金先にこの釣銭を送金する募金システムが案出されている（例えば、特許文献１参照）。
【０００３】
【特許文献１】特開２００２−８３３４４号公報
【発明の開示】
【発明が解決しようとする課題】
【０００４】
しかしながら、従来の自動販売機を用いた募金システムでは、たとえば自動販売機の運営会社毎、自動販売機の設置場所を提供する施設所有者および管理者毎に募金の種類や募金の実施期間などの情報を含む募金情報の設定や変更を行う場合、そのたびにオペレータが自動販売機の設置場所に出向いて一台一台、募金情報の設定や変更を行う必要があるので、手間がかかり募金情報の設定や変更が困難であった。また、自動販売機の運営会社毎、自動販売機の設置場所を提供する施設所有者および管理者毎に実施している募金の種類や各実施期間の管理が、自動販売機の数が多くなればそれに増加して非常に困難であった。
【０００５】
本発明は、上記実情に鑑みて、外部から自動販売機に対して募金情報の設定や変更を容易に行うことができる情報配信装置、自動販売機、募金システムおよび募金方法を提供することを目的とする。
【課題を解決するための手段】
【０００６】
上記の目的を達成するために、本発明の請求項１に係る情報配信装置は、募金を行う対象となる複数の自動販売機と、前記募金の種類と、前記募金の実施期間との情報を少なくとも含む募金情報を指定する対象指定手段と、前記対象指定手段で指定された募金の種類と、前記募金の実施期間との情報を、前記指定された複数の自動販売機に配信する配信手段と、を備えることを特徴とする。
【０００７】
また、本発明の請求項２に係る情報配信装置は、上記請求項１において、前記対象指定手段で指定された前記募金情報を管理し、即時または定期的に前記募金の種類と、前記募金の実施期間との情報を前記配信手段から前記複数の自動販売機に配信させる管理手段を、さらに備えることを特徴とする。
【０００８】
また、本発明の請求項３に係る募金可能な自動販売機は、商品を販売もしくはサービスを指定する販売提供手段と、入力する募金の種類と、前記募金の実施期間との情報を設定する設定手段と、前記設定手段で設定された募金の種類、前記募金の実施期間に基づき、募金の受け付けを許可する許可手段と、前記商品もしくは前記サービスに対して支払われる代金および前記募金に対して支払われる募金金額を入金する入金手段と、を備えることを特徴とする。
【０００９】
また、本発明の請求項４に係る募金可能な自動販売機は、上記請求項３において、前記許可手段により許可された募金のうち、所望の募金を指定する募金指定手段と、前記募金指定手段により指定された所望の募金先へ募金する募金金額を指定する金額指定手段と、をさらに備えることを特徴とする。
【００１０】
また、本発明の請求項５に係る募金可能な自動販売機は、上記請求項４において、前記入金手段から入金された募金金額を前記募金指定手段により指定された所望の募金先および自機の管理先に通知する通知手段と、をさらに備えることを特徴とする。
【００１１】
また、本発明の請求項６に係る募金可能な自動販売機は、上記請求項４または５において、前記許可手段により許可された募金を表示する表示手段を、さらに備え、前記募金指定手段は、前記表示手段に表示された募金のうち、所望の募金を指定することを特徴とする。
【００１２】
また、本発明の請求項７に係る募金可能な自動販売機は、上記請求項５または６において、電子マネーシステムを利用した先払いあるいは後払いのカードまたは携帯電話機から入金情報を取得する入金情報取得手段を、さらに備え、前記通知手段は、前記入金情報取得手段により取得された入金情報を前記募金指定手段により指定された所望の募金先および自機の管理先に通知することを特徴とする。
【００１３】
また、本発明の請求項８に係る募金システムは、少なくとも募金を行う対象となる複数の自動販売機と、前記募金の種類と、前記募金の実施期間との情報を含む募金情報を指定する対象指定手段と、前記対象指定手段で指定された募金の種類と、前記募金の実施期間との情報を、前記指定された複数の自動販売機に配信する配信手段と、を有する情報配信装置と、商品を販売もしくはサービスを指定する販売提供手段と、前記配信装置から入力する募金の種類と、前記募金の実施期間との情報を設定する設定手段と、前記設定手段で設定された募金の種類、前記募金の実施期間に基づき、募金の受け付けを許可する許可手段と、前記商品もしくは前記サービスに対して支払われる代金および前記募金に対して支払われる募金金額を入金する入金手段と、を有する複数の自動販売機と、前記情報配信装置と前記自動販売機とを接続させるネットワークと、を備えることを特徴とする。
【００１４】
また、本発明の請求項９に係る募金方法は、少なくとも募金を行う対象となる複数の自動販売機と、前記募金の種類と、前記募金の実施期間との情報を含む募金情報を指定する対象指定ステップと、前記対象指定ステップで指定された募金の種類と、前記募金の実施期間との情報を、前記指定された複数の自動販売機に配信する配信ステップと、商品を販売もしくはサービスを指定する販売提供ステップと、前記配信ステップで配信されて入力する前記募金の種類と、前記募金の実施期間との情報を設定する設定ステップと、前記設定ステップで設定された募金の種類、前記募金の実施期間に基づき、募金の受け付けを許可する許可ステップと、前記商品もしくは前記サービスに対して支払われる代金および前記募金に対して支払われる募金金額を入金する入金ステップと、を含むことを特徴とする。
【００１５】
また、本発明の請求項１０に係る募金方法は、上記請求項９において、前記対象指定ステップで指定された前記募金情報を管理し、即時または定期的に前記募金の種類と、前記募金の実施期間との情報を前記複数の自動販売機に配信させる管理ステップを、さらに含むことを特徴とする。
【００１６】
また、本発明の請求項１１に係る募金方法は、上記請求項９または１０において、前記許可ステップにより許可された募金のうち、所望の募金を指定する募金指定ステップと、前記募金指定ステップにより指定された所望の募金先へ募金する募金金額を指定する金額指定ステップと、をさらに含むことを特徴とする。
【００１７】
また、本発明の請求項１２に係る募金方法は、上記請求項１１において、前記入金ステップから入金された募金金額を前記募金指定ステップにより指定された所望の募金先および自機の管理先に通知する通知手段と、をさらに含むことを特徴とする。
【００１８】
また、本発明の請求項１３に係る募金方法は、上記請求項１１または１２において、前記許可ステップにより許可された募金を表示する表示ステップを、さらに含み、前記募金指定ステップでは、前記表示ステップに表示された募金のうち、所望の募金を指定することを特徴とする。
【００１９】
また、本発明の請求項１４に係る募金方法は、上記請求項１２または１３において、電子マネーシステムを利用した先払いあるいは後払いのカードまたは携帯電話機から入金情報を取得する入金情報取得ステップを、さらに含み、前記通知ステップでは、前記入金情報取得ステップにより取得された入金情報を前記募金指定ステップにより指定された所望の募金先および自機の管理先に通知することを特徴とする。
【発明の効果】
【００２０】
本発明にかかる情報配信装置、自動販売機、募金システムおよび募金方法は、情報配信装置から募金の種類と、募金の実施期間との情報を、募金を行う対象となる自動販売機に配信することで、外部から自動販売機に対して募金情報の設定や設定の変更を容易に行うことができるという効果を奏する。
【発明を実施するための最良の形態】
【００２１】
以下に添付図面を参照して、本発明に係る情報配信装置、自動販売機、募金システムおよび募金方法の好適な実施例を詳細に説明する。なお、この実施例によりこの発明が限定されるものではない。
【実施例１】
【００２２】
図１は、本発明にかかる募金システムのシステム構成の一例を示すシステム構成図である。なお、ここでは、説明の簡単のために自動販売機を用いた募金システムについて説明する。
【００２３】
図１において、この募金システム１０は、募金を行う対象となる複数の自動販売機、上記募金の種類および上記募金の実施期間の情報を指定して、配信する配信手段としての配信サーバ１１と、複数の種類の商品を販売する自動販売機２１と、募金種類別募金金額を受信する自動販売機２１の管理業者の自動販売機管理サーバ５１と、同じく募金種類別募金金額を受信する募金団体の募金団体サーバ６１と、配信サーバ１１、自動販売機２１、自動販売機管理サーバ５１および募金団体サーバ６１が接続されるネットワーク７１とを備える。なお、ネットワーク７１は、インターネット網、プライベートネットワーク網、携帯電話網、ＰＨＳ網、ＬＡＮ，ＣＡＴＶ網などの有線、無線を問わない様々なネットワークを示すものである。この実施の形態では、たとえばＰＨＳ網を介して各サーバ１１，５１，６１と自動販売機２１とが通信するものとする。
【００２４】
配信サーバ１１は、たとえば募金団体、自動販売機運営会社もしくは上記以外の第三者機関に設置、管理されており、ネットワーク７１を介して無線通信で自動販売機２１に募金情報の配信を行う。なお、配信サーバ１１の詳細な構成、動作および処理手順の説明は後述する。
【００２５】
自動販売機２１は、複数の商品見本２２（図１中、商品見本２２ａ〜２２ｈ）と、商品見本２２に対応した商品の販売価格表２３（図１中、２３ａ〜２３ｈ）と、商品見本２２に対応した商品の商品選択ボタン２４（２４ａ〜２４ｈ）と、紙幣を入金する紙幣入金口２５と、硬貨を入金する硬貨入金口２６と、返却レバー２７と、電子マネーシステムを利用して入金するためのカードを挿入し、また返却するカード挿入口２８と、電子マネーシステムを利用して入金するための携帯電話を接続する接続部２９と、募金先の団体を指定する募金先指定ボタン３０と、募金金額を入力するテンキー３１が表示されるとともに、各種メッセージが表示される表示部３２を有するタッチパネル３３と、募金を選択するための選択ボタン３４と、釣銭を出金する釣銭出金口３５と、商品を取り出す取出口３６と、を備える。また、３７は、ネットワーク７１を介してサーバ１１，５１，６１と無線通信する際に使用するＰＨＳアンテナを示す。なお、自動販売機２１には、たとえば募金金額の決定ボタンやキャンセルボタン等を設けることも可能であり、自動販売機２１の詳細な構成、動作及び処理手順は後述する。
【００２６】
自動販売機管理サーバ５１は、たとえば自動販売機運営会社に設置、管理されており、自動販売機２１からネットワーク７１を介して無線通信で送信されたデータより募金種類別の募金金額を集計している。なお、自動販売機管理サーバ５１の詳細な構成、動作及び処理手順は後述する。
【００２７】
募金団体サーバ６１は、たとえば募金団体もしくは第三者機関に設置、管理されており、自動販売機２１からネットワーク７１を介して無線通信で送信されたデータより募金種類別の募金金額を集計して、この集計値と自動販売機２１の管理業者からの送金金額を比較し、その送金金額の妥当性を判断している。なお、募金団体サーバ６１の詳細な構成、動作及び処理手順は後述する。
【００２８】
次に、配信サーバ１１のハードウエア構成について説明する。図２は、配信サーバ１１のハードウエア構成の一例を示すブロック図である。図２において、配信サーバ１１は、ＣＰＵ１０１と、ＲＯＭ１０２と、ＲＡＭ１０３と、ＨＤＤ（ハードディスクドライブ）１０４と、ＨＤハードディスク）１０５と、ＦＤＤ（フロッピー（登録商標）ディスクドライブ）１０６と、着脱可能な記録媒体の一例としてのＦＤ（フロッピー（登録商標）ディスク）１０７と、ディスプレイ１０８と、ＫＢ（キーボード）１０９と、マウス１１０と、スキャナ１１１と、プリンタ１１２と、Ｉ／Ｆ（インターフェース）１１３と、これら構成部を接続させるバス１１４と、を備える。
【００２９】
ＣＰＵ１０１は、配信サーバ１１全体の制御を司る。ＲＯＭ１０２は、配信サーバ１１の基本動作を司るＯＳ１０２ａと、ネットワーク７１を介して自動販売機２１と通信する通信プログラム１０２ｂと、募金を行う対象となる複数の自動販売機と、前記募金の種類と、前記募金の実施期間との情報を含む募金情報を指定する動作を行うための募金情報指定プログラム１０２ｃと、募金情報を記憶する動作を行うための募金情報格納プログラム１０２ｄなどを記憶している。ＲＡＭ１０３は、ＣＰＵ１０１のワークエリアとして使用される。
【００３０】
ＨＤＤ１０４は、ＣＰＵ１０１の制御にしたがってＨＤ１０５に対するデータのリード／ライトを制御する。ＨＤ１０５は、ＨＤＤ１０４の制御で書き込まれたデータを記憶する。具体的には、ＫＢ１０９やマウス１１０から入力された募金情報を記憶する。募金情報を記憶しておくことにより、Ｉ／Ｆ１１３を介した自動販売機２１への募金情報の即時及び定期通信を可能にする。
【００３１】
また、ＦＤＤ１０６は、ＣＰＵ１０１の制御にしたがってＦＤ１０７に対するデータのリード／ライトを制御する。ＦＤ１０７は、ＦＤＤ１０６の制御で書き込まれたデータを記憶する。着脱可能な記録媒体として、ＦＤ１０７の他、ＣＤ−ＲＯＭ（ＣＤ−ＲＷ）、ＭＯ、ＤＶＤなどであってもよい。ディスプレイ１０８は、ＫＢ１０９及びマウス１１０からの募金情報、画像、機能情報などのデータを表示する。たとえば、ＣＲＴ、ＴＦＴ液晶ディスプレイ、プラズマディスプレイなどである。
【００３２】
ＫＢ１０９は、文字、数値、各種指示などの入力のためのキーを備え、データ入力を行う。マウス１１０は、カーソルの移動や範囲選択、あるいはウインドウの移動やサイズの変更などを行う。ポインティングデバイスとして同様の機能を備えるものであれば、トラックボール、ジョイスティックなどであってもよい。
【００３３】
スキャナ１１１は、画像を光学的に読み取る。プリンタ１１２は、データを記録紙に印刷する。たとえば、レーザプリンタ、インクジェットプリンタなどである。Ｉ／Ｆ１１３は、入出力端子を介して、外部装置あるいはネットワーク７１などに接続され、データの入出力のインターフェースを司る。
【００３４】
次に、配信サーバ１１の機能的構成について、図３のブロック図を用いて説明する。図３は、配信サーバ１１の機能的構成の一例を示したブロック図である。図３に示すように、配信サーバ１１は、募金情報を指定する対象指定手段としての募金情報指定部２０１と、募金情報指定部２０１により指定された募金情報を記憶する記憶部２０２と、募金情報の配信を行う配信手段としての募金情報配信部２０３とを備える。
【００３５】
募金情報指定部２０１は、募金を行う対象となる複数の自動販売機と、この募金の種類と、この募金の実施期間との情報を含む募金情報を指定している。募金情報指定部２０１は、たとえば図２に示したＣＰＵ１０１、ＯＳ１０２ａおよび募金情報指定プログラム１０２ｃによりその機能を実現することができる。たとえば配信サーバ１１の管理者がＫＢ１０９やマウス１１０などの情報入力手段を使って、募金情報を指定して記憶部２０２に記憶させている。
【００３６】
記憶部２０２は、募金を行う対象となる自動販売機毎に、取り扱う募金の種類と、募金の実施期間との情報を記憶している。記憶部２０２は、たとえば図２に示したＨＤ１０５、ＨＤＤ１０６および募金情報格納プログラム１０２ｄによりその機能を実現することができる。
【００３７】
募金情報配信部２０３は、記憶部２０２に記憶された募金情報を配信している。募金情報配信部２０３は、たとえば図２に示したＩ／Ｆ１１３と通信プログラム１０２ｂによりその機能を実現することができる。募金情報配信部２０３は、記憶部２０２に記憶された募金情報のうち、募金の種類と、この募金の実施期間との情報からなる募金情報を、ネットワーク７１を介して、即時及び定期的にこの募金を行う対象となる自動販売機２１を含む複数の自動販売機に配信している。
【００３８】
次に、自動販売機２１の内部構成について説明する。図４は、図１に示した自動販売機２１の内部構成の一例を示す構成図である。図４において、自動販売機２１は、商品見本２２を格納した商品見本部２１１と、商品選択ボタン２４を配置した商品選択部２１２と、電子マネーを利用したカードを処理するカード部２１３と、電子マネーを利用した携帯電話を処理する携帯電話部２１４と、商品の販売価格または募金金額と硬貨入金口２６から入金された金額またはテンキー３１で決定された金額とから、釣銭金額を算出する金銭処理部２１５と、ネットワーク７１を介して各サーバ１１，５１，６１と接続する通信部２１６と、を有する。
【００３９】
カード部２１３には、カード挿入口２８から挿入された、たとえば前払い用の磁気カードの情報（たとえば残高など）を読み取り、募金金額に関する情報（たとえば募金金額、募金回数、募金日時など）を記録する読取書込部２１３ａと、読み取った情報を出力する情報出力部２１３ｂと、を備える。
【００４０】
携帯電話部２１４には、接続部２９に接続された、携帯電話から残高などの情報を読み取り、募金金額に関する情報（たとえば募金金額、募金回数、募金日時など）を記録する読取書込部２１４ａと、読み取った情報を出力する情報出力部２１４ｂと、を備える。
【００４１】
次に、自動販売機２１のハードウエア構成について説明する。図５は、図１に示した自動販売機２１のハードウエア構成の一例を示すブロック図である。図５において、自動販売機２１は、ＣＰＵ２２１と、メモリ２２２と、Ｉ／Ｆ（インターフェース）２２３と、ディスプレイ２２９と、テンキー３１と選択ボタン３４と、商品選択ボタン２４と、募金先指定ボタン３０と、カード部２１３と、携帯電話部２１４と、これら構成部を接続させるバス２２８と、を備える。
【００４２】
ＣＰＵ２２１は、自動販売機２１全体の制御を行うプロセッサであり、図４に示した主制御部２１７の主要な構成要素であって、後述するＲＯＭ２２５に記憶されたプログラムにしたがって所定の処理を行う。
【００４３】
メモリ２２２は、ＣＰＵ２２１のワークエリアとして使用されるＲＡＭ２２４、基本プログラムなどを記憶しておくＲＯＭ２２５、募金金額などの各種データを記憶するフラッシュメモリなどの不揮発性メモリ２２６、各募金情報を記憶するＦＩＦＯ（ファースト  イン  ファースト  アウト）メモリ２２７と、を備える。
【００４４】
ＲＯＭ２２５には、自動販売機２１の基本的な動作（商品の搬送や釣銭金額の算出）を制御する自動販売機制御プログラム２２５ａと、ネットワーク７１を介してサーバ１１，５１，６１と通信するための通信プログラム２２５ｂと、カード部２１３を制御して電子マネーを利用したカードの読み取り制御や、募金金額に関する情報を記録する書き込み制御を行うカード部制御プログラム２２５ｃと、携帯電話部２１４を制御して電子マネーを利用した携帯電話の読み取り制御や、募金金額に関する情報を記録する書き込み制御を行う携帯電話部制御プログラム２２５ｄ、募金先や募金金額の決定を行う募金決定プログラム２２５ｅと、が含まれている。ＦＩＦＯメモリ２２７は、複数の募金先の募金情報を管理しており、また各募金情報は、それぞれの募金情報を区別するためのデータ、たとえば募金の種類を識別するための募金種別ＩＤ、募金管理団体を識別するための募金管理団体ＩＤなどが付加されている。
【００４５】
Ｉ／Ｆ２２３は、自動販売機２１内部と外部装置、特にサーバ１１，５１，６１とのインターフェースを司る。具体的には、ＲＣ２３２Ｃ用の接続制御ドライバなどから構成される。
【００４６】
ディスプレイ２２９は、各種情報やメッセージを表示するものであり、図１に示したタッチパネル３３の主要な構成要素であって、たとえば硬貨入金口２６から入金された通貨（紙幣もしくは硬貨）の合計金額を表示したり、算出された釣銭金額を表示したり、募金時の操作指示を表示させたり、広告などを表示する。ディスプレイは、たとえば液晶ディスプレイなどを用いることができる。
【００４７】
なお、自動販売機２１のハードウエア構成としては、商品を格納、搬送する機構や代金を格納する機構も当然含まれるが、これについては、従来の技術が適用可能であり、ここではその詳細な説明を省略する。
【００４８】
次に、自動販売機２１の機能的構成について説明する。図６は、図１に示した自動販売機２１の機能的構成を示すブロック図である。図６において、自動販売機２１は、設定手段としての募金設定部３０１と、募金指定手段としての募金先指定部３０２と、許可手段としての許可部３０３と、入金手段としての入金部３０４と、販売提供手段としての商品販売部３０５と、カード部２１３と、携帯電話部２１４と、金額指定手段としての募金金額指定部３０６と、入金情報取得手段としての金額算出部３０７と、記憶部３０８と、出金送信選択部３０９と、通知手段としての送信部３１０と、出金部３１１と、表示手段としての表示部３１２と、を備える。また、カードおよび携帯電話は、個人の識別情報である個人ＩＤを記憶し、個人毎の募金金額を管理することも可能である。この場合、カード部２１３と携帯電話部２１４は、この個人毎の募金金額の情報を読み出して記憶部３０８に記憶させ、情報出力部３１３から金額算出部３０７で新たに募金した金額を加えた募金金額の情報をカードおよび携帯電話のメモリに書き込んで、募金金額の変更を行うことも可能である。
【００４９】
募金設定部３０１は、配信サーバ１１から配信される募金情報を受信して設定する。すなわち、募金設定部３０１は、受信した募金の種類と、前記募金の実施期間との情報を含む募金情報を、許可部３０３を介して記憶部３０８に記憶しており、たとえば通信部２１６、Ｉ／Ｆ２２３、通信プログラム２２５ｂ（図５参照）によりその機能を実現することができる。募金先指定部３０２は、利用者が募金したい募金先を指定している。募金先指定部３０２は、たとえば募金先指定ボタン３０（図１参照）によりその機能を実現することができる。なお、募金先指定部３０２による募金先の指定は、たとえばテンキー３１と、ディスプレイ２２９を用いてメッセージを表示して対話的に指定してもよいし、音声によりメッセージを流すことで対話的に指定してもよい。
【００５０】
許可部３０３は、募金設定部３０１で設定された募金情報に基づき、募金先指定部３０２で指定された募金先に対して募金を許可するかどうか判断している。許可部３０３は、たとえばＣＰＵ２２１、募金決定プログラム２２５ｅ（図５参照）によりその機能を実現することができる。
【００５１】
入金部３０４は、商品に対しての金銭および募金に対しての金銭を入金する。ここで商品に対しての金銭とは、購入したい商品に対してユーザが自動販売機２１に投入する金銭をいい、募金に対しての金銭とは、所定の募金先に入金したい金額に対してユーザが自動販売機２１に投入する金銭をいう。入金部３０４は、たとえば紙幣入金口２５、硬貨入金口２６（図１参照）、金銭処理部２１５（図４参照）および自動販売機制御プログラム２２５ａ（図５参照）によりその機能を実現することができる。
【００５２】
商品販売部３０５は、商品選択ボタン２４（図５参照）により選択された商品を搬送し、その販売価格を金額算出部３０７に送出する。商品販売部３０５は、自動販売機２１の物理的機構の大半を占める。商品販売部３０５は、従来技術が適用される図示しない商品搬送部や取出口３６（図１参照）、主制御部２１７（図４参照）などによりその機能を実現することができる。募金金額指定部３０６は、所定の募金先に入金する募金金額を指定している。募金金額指定部３０６は、テンキー３１、ディスプレイ２２９（図５参照）を用いてメッセージを表示して対話的に指定する。なお、募金金額指定部３０６による募金金額の指定は、音声によりメッセージを流して対話的に指定してもよい。
【００５３】
金額算出部３０７は、入金部３０４から入金した支払金額から商品販売部３０５で販売した商品の販売価格を差し引いた釣銭金額を算出する。また、金額算出部３０７は、入金部３０４から入金した金額から募金金額指定部３０６で指定された募金金額を差し引いた釣銭金額を算出する。さらに、金額算出部３０７は、カード部２１３および携帯電話部２１４から入力した金額情報から募金金額指定部３０６で指定された募金金額を差し引いた釣銭金額を算出する。金額算出部３０７は、たとえば金銭処理部２１５、自動販売機制御プログラム２２５ａ、募金決定プログラム２２５ｅによりその機能を実現することができる。
【００５４】
記憶部３０８は、金額算出部３０７で算出された釣銭や募金金額の情報を記憶する。また、記憶部３０８は、募金設定部３０１が設定した募金情報を記憶する。さらに、記憶部３０８は、金額算出部３０７で算出された釣銭を、カード部２１３または携帯電話部２１４により入力された募金金額に加算して、再びカードまたは携帯電話に記録する。記録部３０８は、フラッシュメモリ２２６、ＦＩＦＯメモリ２２７、カード部制御プログラム２２５ｃ、携帯電話部制御プログラム２２５ｄによりその機能を実現することができる。
【００５５】
出金送信選択部３０９は、金額算出部３０７において算出された釣銭（硬貨、紙幣）を出金部３１１に出金するか、所定募金先へ募金するかの選択を行う。出金が選ばれた場合は、自動販売機制御プログラム２２５ａ（図５参照）の制御のもと、釣銭出金口３５から釣銭が出金され、選択ボタン３４により募金が選ばれた場合は、募金決定プログラム２２５ｅの制御のもと、送信部３１０から釣銭金額または募金金額が自動販売機管理サーバ５１および募金団体サーバ６１に送信される。出金送信選択部３０９は、選択ボタン３４、自動販売機制御プログラム２２５ａ、募金決定プログラム２２５ｅによりその機能を実願することができる。
【００５６】
送信部３１０は、金額算出部３０７で算出された釣銭金額または募金金額を募金先指定部３０２で指定された募金先へ送信する。送信部３１０は、ユーザが商品を購入した時点でその都度情報をサーバ５１，６１へ送信してもよいし、ある件数まとまった時点、たとえば１０人が自動販売機２１を利用した時点でそれぞれ指定されたサーバ５１，６１へ送信してもよい。その他、所定の時間間隔もしくは所定時刻にサーバ５１，６１へ送信するようにしてもよい。送信部３１０は、たとえばＰＨＳアンテナ３７（図１参照）、通信部２１６（図４参照）、通信プログラム２２５ｂ、Ｉ／Ｆ２２３（図５参照）によりその機能を実現することができる。
【００５７】
出金部３１１は、出金送信選択部３０９で釣銭出金が選択された場合に、金額算出部３０７により算出された釣銭金額に相当する釣銭を出金する。出金部３１１は、釣銭出金口３５（図１参照）、金銭処理部２１５（図４参照）、自動販売機制御プログラム２２５ａ（図５参照）によりその機能を実現することができる。
【００５８】
表示部３１２は、記憶部３０８に記憶された募金情報や各種メッセージなどを表示する。表示部３１２は、募金決定プログラムの制御のもと、実施期間になった募金情報や予約された募金情報をディスプレイ２２９上に表示する。情報出力部３１３は、カードおよび携帯電話が個人ＩＤを持ち、個人毎の募金金額を管理する場合、記憶部３０８に記憶された募金金額に関する情報をカードおよび携帯電話のメモリに出力して記録させて、募金金額の変更およびカードの返却を行う。情報出力部３１３は、たとえばカード挿入口２８、接続部２９（図１参照）、カード部制御プログラム２２５ｃ、携帯電話部制御プログラム２２５ｄによりその機能を実現することができる。
【００５９】
次に、自動販売機管理サーバ５１について説明する。自動販売機管理サーバ５１は１台しか示してないが、これに限ることなく複数台から構成されていてもよい。図７は、図１に示した自動販売機管理サーバ５１のハードウエア構成の一例を示すブロック図である。図７において、自動販売機管理サーバ５１は、ＣＰＵ５０１と、ＲＯＭ５０２と、ＲＡＭ５０３と、ＨＤＤ（ハードディスクドライブ）５０４と、ＨＤ（ハードディスク）５０５と、ＦＤＤ（フロッピー（登録商標）ディスクドライブ）５０６と、着脱可能な記録媒体の一例としてのＦＤ（フロッピー（登録商標）ディスク）５０７と、ディスプレイ５０８と、ＫＢ（キーボード）５０９と、マウス５１０と、スキャナ５１１と、プリンタ５１２と、Ｉ／Ｆ（インターフェース）５１３と、これら構成部を接続させるバス５１４と、を備える。自動販売機管理サーバ５１は、配信サーバ１１とほぼ同様の構成であり、配信サーバ１１と同様の構成部に関してはその詳細な説明は省略する。この自動販売機管理サーバ５１が配信サーバ１１と異なる点は、ＲＯＭ５０２が、自動販売機管理サーバ５１の基本動作を司るＯＳ５０２ａと、ネットワーク７１を介して自動販売機２１と通信する通信プログラム５０２ｂと、自動販売機２１から受信した募金金額を格納する制御を行う募金金額格納プログラム５０２ｃを備える点である。
【００６０】
次に、自動販売機管理サーバ５１の機能的構成について説明する。図８は、図１に示した自動販売機管理サーバ５１の機能的構成を示すブロック図である。図８において、自動販売機管理サーバ５１は、受信部５２１と、加算部５２２と、記憶部５２３と、出力部５２４と、を備える。
【００６１】
受信部５２１は、自動販売機２１から送信された募金金額および販売代金を受信する。また、必要に応じて、商品の販売時刻も受信する。受信部５２１は、たとえば図７に示したＩ／Ｆ５１３、通信プログラム５０２ｂによりその機能を実現することができる。
【００６２】
加算部５２２は、記憶部５２３に既に記憶されている募金金額を読み出し、受信部５２１により受信された募金金額を加算して新たな募金金額として記憶部５２３に再格納する。また、加算部５２２は、受信部５２１で募金金額を受信した受信時間についても記憶部５２３に併せて格納することも可能である。加算部５２２は、たとえば図７に示したＣＰＵ５０１、ＯＳ５０２ａ、募金金額格納プログラム５０２ｃによりその機能を実現することができる。
【００６３】
記憶部５２３は、受信部５２１で受信した募金金額を記憶し、また加算部５２２で加算処理された募金金額を記憶する。記憶部５２３は、たとえば図７に示したＨＤ５０５、ＨＤＤ５０４，募金金額格納プログラム５０２ｃによりその機能を実現することができる。また、記憶部５２３には、加算部５２２で加算された自動販売機２１での販売代金も記憶されている。
【００６４】
出力部５２４は、記憶部５２３に記憶された募金金額の情報を管理者に出力する。出力部５２４は、たとえばディスプレイ５０８またはプリンタ５１２によりその機能を実現することができる。
【００６５】
次に、募金団体サーバ６１について説明する。募金団体サーバ６１は１台しか示してないが、これに限ることなく複数台から構成されていてもよい。図９は、図１に示した募金団体サーバ６１のハードウエア構成の一例を示すブロック図である。図９において、募金団体サーバ６１は、自動販売機管理サーバ５１とほぼ同様の構成であるので、自動販売機管理サーバ５１と同様の構成部に関しては、その詳細な説明は省略する。この募金団体サーバ６１が自動販売機管理サーバ５１と異なる点は、ＲＯＭ６０２が、募金団体サーバ５１の基本動作を司るＯＳ６０２ａと、ネットワーク７１を介して自動販売機２１と通信する通信プログラム６０２ｂと、自動販売機２１から受信した募金金額を格納する制御を行う募金金額格納プログラム６０２ｃの他に、募金金額の比較を行う募金金額比較プログラム６０２ｄを備える点である。
【００６６】
次に、募金団体サーバ６１の機能的構成について説明する。図１０は、図１に示した募金団体サーバの機能的構成の一例を示すブロック図である。図１０において、募金団体サーバ６１は、自動販売機管理サーバ５１とほぼ同様の構成であるので、自動販売機管理サーバ５１と同様の構成部に関しては、その詳細な説明は省略する。図１０において、この募金団体サーバ６１が自動販売機管理サーバ５１と異なる点は、募金金額を入力する入力部６２４と、比較部６２５をさらに備える点である。
【００６７】
入力部６２４は、管理者が入力する募金金額を比較部６２５に出力する。入力部６２４は、たとえばＫＢ６０９、マウス６１０によりその機能を実現することができる。
【００６８】
比較部６２５は、入力部６２４から入力する募金金額と、記憶部６２３に記憶されている募金金額とを比較する。比較部６２５は、図９に示したＣＰＵ６０１、募金金額比較プログラム６０２ｄによりその機能を実現することができる。
【００６９】
次に、商品購入時および募金時の動作について説明する。図１１は、本発明の実施の形態にかかる複数募金実施時のタイムチャートである。図１１では、たとえばＡ募金とＢ募金の実施期間が異なる場合を示している。また、自動販売機２１の基本動作としては、１．待機時（通常モード）、２．購入時（通常モード）、３．待機時（募金モード）、４．購入・募金時（募金モード）、５．待機時（通常モード・募金予約設定中）、６．待機時（募金モード・募金予約設定中）の動作がある。
【００７０】
１．待機時（通常モード）は、募金が行えない状態であり、図１に示した募金を選択するための選択ボタン３４およびタッチパネル３３などの募金操作が無効になる。また、表示部３２では、たとえば広告、ニュース、地域情報、時刻の表示をサイクリックに行うものとする。
【００７１】
２．購入時（通常モード）は、募金が行えない状態での金銭投入から商品搬出までを示し、募金を選択するための選択ボタン３４およびタッチパネル３３などの募金操作が無効になる。また、表示部３２では、待機時は１．待機時と同じ表示を行い、商品の購入時には、たとえば購入メッセージとして、「商品を選択して下さい！」、「ご購入有り難うございました！」などのメッセージ表示を行うものとする。
【００７２】
３．待機時（募金モード）は、募金が行える状態での待機状態を示し、表示部３２では、たとえば募金広告、広告、募金広告、ニュース、募金広告、地域情報、募金広告、時刻、募金広告、募金経過報告の表示をサイクリックに行うものとする。
【００７３】
４．購入・募金時（募金モード）は、募金が行える状態での金銭投入から商品搬出までを示し、募金を選択するための選択ボタン３４およびタッチパネル３３などの募金操作が可能となる。また、表示部３２では、商品の購入時には、たとえば購入メッセージとして、「商品を選択して下さい！」、「ご購入有り難うございました！」などの表示を行うものとする。また、募金時には、対話型で募金手順を導く。表示部３２では、たとえば、「募金先を選択して下さい」、「募金金額を指定して下さい」、「募金してもよろしいでしょうか？」、「募金有り難うございました」などのメッセージ表示を行うものとする。
【００７４】
５．待機時（通常モード・募金予約設定中）は、募金が行えない状態で、募金の予約を設定している状態を示し、募金を選択するための選択ボタン３４およびタッチパネル３３などの募金操作が無効となる。表示部３２では、たとえば募金予告、広告、募金予告、ニュース、募金予告、地域情報、募金予告、時刻の表示をサイクリックに行うものとする。
【００７５】
６．待機時（募金モード・募金予約設定中）は、募金が行える状態で、かつ募金の予約を設定している状態を示し、募金を選択するための選択ボタン３４およびタッチパネル３３などの募金操作が可能となる。また、表示部３２では、たとえば募金広告、募金予告、広告、募金広告、ニュース、募金広告、募金予告、地域情報、募金広告、募金予告、時刻、募金広告、募金予告、募金経過報告の表示をサイクリックに行うものとする。
【００７６】
なお、ここで自動販売機２１に搭載されている表示部３２で表示するメッセージの例を以下に示す。
【００７７】
（１）広告は、たとえば自動販売機運営会社の広告、商品の広告、契約広告（第三社の広告／広告契約料を取る）などである。（２）ニュースは、たとえば時事通信ニュース、読売、毎日、日経等の全国版ニュース、地方新聞ニュースなどである。（３）地域情報は、たとえば地方自治体情報などである。（４）時刻は、現在の時刻などである。（５）募金広告は、募金団体毎の募金情報などで、たとえば「ただ今、○○地震救済募金を実施しております。多くの被災者が、今現在も不自由な生活を余儀なくされております。皆様のご協力を宜しくお願い致します。」などである。（６）募金予告は、募金団体毎の募金予告情報で、たとえば「○月○日〜△月△日まで□□募金を実施致します。当自動販売機では、実施期間中、募金を行うことができます。皆様のご協力をお待ちしております。」などである。（７）募金結果・結果報告は、現在実施中の募金結果や終了した募金の結果報告情報であり、たとえば○○募金の累計金額は、○○○○○○円です。ご協力有り難うございます。△月△日をもちまして、□□募金を終了致しました。合計○○△△□□円でした、皆様、ご協力有り難うございました。」などである。
【００７８】
次に、図１１に示す（１）〜（７）の時点における自動販売機２１の動作を説明する。図１２は、図１１に示す（１）の時点における自動販売機２１の動作を説明するためのフローチャートである。図１２において、自動販売機２１は、まず１．待機時（通常モード）を実施する（ステップＳ９０１）。そして、紙幣入金口２５または硬貨入金口２６から金銭が投入されると（ステップＳ９０２）、２．購入時（通常モード）を実施する（ステップＳ９０３）。
【００７９】
次に、商品選択ボタン２４が押されたかどうか判断する（ステップＳ９０４）。ここで、商品選択ボタン２４が押されず（ステップＳ９０４：Ｎｏ）、募金ボタンである選択ボタン３４が押されると（ステップＳ９０５）、ステップＳ９０３に戻って、２．購入時（通常モード）を実施する。また、商品選択ボタン２４が押された場合（ステップＳ９０４：Ｙｅｓ）、該当する商品を取出口３６に搬出する（ステップＳ９０６）。
【００８０】
次に、釣銭があるかどうか判断する（ステップＳ９０７）。ここで、釣銭がなく、入金が商品価格と同じ場合（ステップＳ９０７：Ｎｏ）、上記動作を終了する。また、入金が商品価格より多い、釣銭がある場合（ステップＳ９０７：Ｙｅｓ）、釣銭出金口３５から釣銭の払い出しを行う（ステップＳ９０８）。なお、商品購入が行われない待機時には、１．待機時（通常モード）のみを実施する。
【００８１】
図１３は、図１１に示す（２）の時点における自動販売機２１の動作を説明するためのフローチャートである。図１３において、自動販売機２１は、まず５．待機時（通常モード・募金予約設定中）を実施する（ステップＳ９１０）。そして、紙幣入金口２５または硬貨入金口２６から金銭が投入されると（ステップＳ９１１）、２．購入時（通常モード）を実施する（ステップＳ９１２）。
【００８２】
次に、商品選択ボタン２４が押されたかどうか判断する（ステップＳ９１３）。ここで、商品選択ボタン２４が押されず（ステップＳ９１３：Ｎｏ）、募金ボタンである選択ボタン３４が押されると（ステップＳ９１４）、ステップＳ９１２に戻って、２．購入時（通常モード）を実施する。また、商品選択ボタン２４が押された場合（ステップＳ９１３：Ｙｅｓ）、該当する商品を取出口３６に搬出する（ステップＳ９１５）。
【００８３】
次に、釣銭があるかどうか判断する（ステップＳ９１６）。ここで、釣銭がなく、入金が商品価格と同じ場合（ステップＳ９１６：Ｎｏ）、上記動作を終了する。また、入金が商品価格より多い、釣銭がある場合（ステップＳ９１６：Ｙｅｓ）、釣銭出金口３５から釣銭の払い出しを行う（ステップＳ９１７）。なお、商品購入が行われない待機時には、５．待機時（通常モード・募金予約設定中）のみを実施する。
【００８４】
図１４は、図１１に示す（３）の時点における自動販売機２１の動作を説明するためのフローチャートである。なお、この動作では、金銭の投入後に募金ボタンである選択ボタン３４を押して、募金動作を行う募金ボタン後押しの場合を説明する。
【００８５】
図１４において、自動販売機２１は、まず３．待機時（募金モード）を実施する（ステップＳ９２０）。そして、紙幣入金口２５または硬貨入金口２６から金銭が投入されると（ステップＳ９２１）、４．購入・募金時（募金モード）を実施する（ステップＳ９２２）。
【００８６】
次に、募金ボタンである選択ボタン３４が押されたかどうか判断する（ステップＳ９２３）。ここで、選択ボタン３４が押されない場合は（ステップＳ９２３：Ｎｏ）、返却を実施するかどうか判断する（ステップＳ９２４）。ここで、返却を実施する場合（ステップＳ９２４：Ｙｅｓ）、たとえば返却レバー２７の操作や図示しないキャンセルボタンを押す（タッチパネル３３も含む）などがあった場合、紙幣入金口２５または釣銭出金口３５に金銭を払い出す（ステップＳ９２５）。また、返却を実施しない場合（ステップＳ９２４：Ｎｏ）、商品選択ボタン２４が押され（ステップＳ９２６）、該当する商品を取出口３６に搬出する（ステップＳ９２７）。なお、この実施の形態では、上記の返却行為は、この動作フローの中のどの時点で行っても、金銭が紙幣入金口２５または釣銭出金口３５に払い出されるものとする。
【００８７】
次に、釣銭があるかどうか判断する（ステップＳ９２８）。ここで、釣銭がなく、入金が商品価格と同じ場合（ステップＳ９２８：Ｎｏ）、上記動作を終了し、また入金が商品価格より多い、釣銭がある場合（ステップＳ９２８：Ｙｅｓ）、ステップＳ９２３に戻って募金ボタンである選択ボタン３４が押されたかどうか判断する。
【００８８】
このステップＳ９２３において、選択ボタン３４が押された場合（ステップＳ９２３：Ｙｅｓ）、募金先の団体を指定する募金先指定ボタン３０によって募金先を指定し（ステップＳ９２９）、さらにテンキー３１を操作して募金金額を指定する（ステップＳ９３０）。そして、図示しない決定ボタン（タッチパネル３３も含む）を押すことで（ステップＳ９３１）、募金金額が決定する。
【００８９】
次に、投入された金額の全額募金かどうか判断する（ステップＳ９３２）。ここで、投入された金額が全額募金の場合（ステップＳ９３２：Ｙｅｓ）、御礼のメッセージを流し（ステップＳ９３３）、上記動作を終了する。なお、このメッセージは、表示部３２にメッセージ表示しても良いし、音声によりメッセージを流すことで行ってもよい。また、投入された金額が全額募金でない場合（ステップＳ９３２：Ｎｏ）、募金を続けるかどうか判断する（ステップＳ９３４）。
【００９０】
ここで、募金を続ける場合（ステップＳ９３４：Ｙｅｓ）、ステップＳ９２９に戻って、募金先の指定を行って募金行為を続行する。また、募金を続けない場合（ステップＳ９３４：Ｎｏ）、残金を紙幣入金口２５または釣銭出金口３５に払い出して（ステップＳ９３５）、上記動作を終了する。なお、商品購入も募金も行われない待機時には、３．待機時（募金モード）のみを実施する。
【００９１】
図１５は、図１１に示す（４）の時点における自動販売機２１の動作を説明するためのフローチャートである。なお、この動作では、金銭の投入前に募金ボタンである選択ボタン３４を押して、募金動作を行う募金ボタン先押しの場合を説明する。
【００９２】
図１５において、自動販売機２１は、まず３．待機時（募金モード）を実施する（ステップＳ９４０）。そして、募金ボタンである選択ボタン３４が押されたかどうか判断する（ステップＳ９４１）。ここで、選択ボタン３４が押された場合は（ステップＳ９４１：Ｙｅｓ）、金銭投入を促して（ステップＳ９４２）、紙幣入金口２５および硬貨入金口２６への金銭投入を行わせる（ステップＳ９４３）。また、選択ボタン３４が押されない場合は（ステップＳ９４１：Ｎｏ）、ステップＳ９４３に進んで紙幣入金口２５および硬貨入金口２６への金銭投入を行わせる。なお、金銭投入を促す動作は、たとえば表示部３２にメッセージ表示させても良いし、音声によってメッセージを流すことで行ってもよい。
【００９３】
次に、自動販売機２１は、金銭が投入されると、４．購入・募金時（募金モード）を実施し（ステップＳ９４４）、募金ボタンである選択ボタン３４が押されたかどうか判断する（ステップＳ９４５）。ここで、選択ボタン３４が押されない場合は（ステップＳ９４６：Ｎｏ）、返却を実施するかどうか判断する（ステップＳ９４７）。ここで、返却を実施する場合（ステップＳ９４７：Ｙｅｓ）、たとえば返却レバー２７の操作や図示しないキャンセルボタンを押す（タッチパネル３３も含む）などがあった場合、紙幣入金口２５または釣銭出金口３５に金銭を払い出す（ステップＳ９４８）。また、返却を実施しない場合（ステップＳ９４７：Ｎｏ）、商品選択ボタン２４が押され（ステップＳ９４９）、該当する商品を取出口３６に搬出する（ステップＳ９５０）。なお、この実施の形態では、上記の返却行為は、この動作フローの中のどの時点で行っても、金銭が紙幣入金口２５または釣銭出金口３５に払い出されるものとする。
【００９４】
次に、釣銭があるかどうか判断する（ステップＳ９５１）。ここで、釣銭がなく、入金が商品価格と同じ場合（ステップＳ９５１：Ｎｏ）、上記動作を終了し、また入金が商品価格より多い、釣銭がある場合（ステップＳ９５１：Ｙｅｓ）、ステップＳ９４５に戻って募金ボタンである選択ボタン３４が押されたかどうか判断し、選択ボタン３４が押されない場合、選択ボタン３４を押すかどうか判断する（ステップＳ９４６）。このステップＳ９４６において、選択ボタン３４を押す場合は（ステップＳ９４６：Ｙｅｓ）、募金先の団体を指定する募金先指定ボタン３０によって募金先を指定し（ステップＳ９５２）、さらにテンキー３１を操作して募金金額を指定する（ステップＳ９５３）。そして、図示しない決定ボタン（タッチパネル３３も含む）を押すことで（ステップＳ９５４）、募金金額が決定する。
【００９５】
次に、投入された金額の全額募金かどうか判断する（ステップＳ９５５）。ここで、投入された金額が全額募金の場合（ステップＳ９５５：Ｙｅｓ）、御礼のメッセージを流し（ステップＳ９５６）、上記動作を終了する。なお、このメッセージは、表示部３２にメッセージ表示しても良いし、音声によりメッセージを流して行ってもよい。また、投入された金額が全額募金でない場合（ステップＳ９５５：Ｎｏ）、募金を続けるかどうか判断する（ステップＳ９５７）。
【００９６】
ここで、募金を続ける場合（ステップＳ９５７：Ｙｅｓ）、ステップＳ９５２に戻って、募金先の指定を行って募金行為を続行する。また、募金を続けない場合（ステップＳ９５７：Ｎｏ）、残金を紙幣入金口２５または釣銭出金口３５に払い出して（ステップＳ９５８）、上記動作を終了する。なお、商品購入も募金も行われない待機時には、６．待機時（募金モード・募金予約設定中）のみを実施する。
【００９７】
次に、図１１に示す（５）の時点における自動販売機２１の動作を説明する。この（５）の時点における自動販売機２１の動作は、金銭投入後に募金ボタンである選択ボタン３４を押して、募金動作を行う募金ボタン後押しの場合には、図１４と同様の動作を行い、また金銭の投入前に募金ボタンである選択ボタン３４を押して、募金動作を行う募金ボタン先押しの場合には、図１５と同様の動作を行う。なお、商品購入も募金も行われない待機時には、３．待機時（募金モード）のみを実施する。
【００９８】
次に、図１１に示す（６）の時点における自動販売機２１の動作を説明する。この（６）の時点における自動販売機２１の動作も、上記と同様に、金銭投入後に募金ボタンである選択ボタン３４を押して、募金動作を行う募金ボタン後押しの場合には、図１４と同様の動作を行い、また金銭の投入前に募金ボタンである選択ボタン３４を押して、募金動作を行う募金ボタン先押しの場合には、図１５と同様の動作を行う。なお、商品購入も募金も行われない待機時には、３．待機時（募金モード）のみを実施する。
【００９９】
次に、図１１に示す（７）の時点における自動販売機２１の動作を説明する。この７）の時点における自動販売機２１の動作は、図１２と同様の動作を行う。また、商品購入が行われない待機時には、１．待機時（通常モード）のみを実施する。
【０１００】
なお、以上の募金システム１０では、携帯電話、募金用のカードなどで個人情報である個人ＩＤを識別できて、個人毎の募金金額を管理することが可能であるが、この他にたとえば募金金額、募金を行う募金頻度が指定した値を超えた場合、自動販売機から飲物をサービスする、また景品を提供するなどの募金プロモーションを提供することも可能である。また、この募金システムでは、たとえば自動販売機管理業者のホームページを公共のネットワーク上に公開するホームページ用のホストコンピュータが、自動販売機管理サーバ５１から募金金額の集計値を受け取り、自動販売機管理業者のホームページ上にその募金金額の集計値を掲載して、募金の信頼性の向上、募金者の募金意欲の向上を図ることも可能である。さらに、この募金システムでは、たとえば募金団体のホームページを公共のネットワーク上に公開するホームページ用のホストコンピュータが、募金団体サーバ６１から募金金額の集計値を受け取り、自動販売機管理業者のホームページ上にその募金金額の集計値を掲載して、募金の信頼性の向上、募金者の募金意欲の向上を図ることも可能である。
【０１０１】
また、この募金用自動販売機は、募金者に安心して募金してもらえる手段も有する。たとえば、そのような手段として、募金用自動販売機認定シールを該当する自動販売機に貼ったり、表示部で所定機関の許可を受けたことを示す許可済みをＰＲしたり、テレビジョンなどで広告したり、テレビＣＭを表示部３２に表示したり、証明書画像データを定期的にサーバから配信し、表示部３２に表示させるなどの手段である。
【０１０２】
また、以上の募金システム１０は、図１を中心としたシステム構成として、配信サーバ１１と、自動販売機２１と、自動販売機管理サーバ５１と、募金団体サーバ６１は、それぞれ１台ずつが示された例を説明したが、それぞれが複数台ネットワーク７１に接続されていてもよい。図１６−１は、システム構成の他の第１例を示した概略図であり、募金情報を配信する複数の配信サーバを有する複数募金情報配信サーバ型のシステムである。また、図１６−２は、システム構成の他の第２例を示した概略図であり、単一の配信サーバが募金情報を配信する単一募金配信サーバ型のシステムである。
【０１０３】
図１６−１では、Ａ募金団体、Ｂ募金団体、Ｃ募金団体は、各種の募金を行う募金団体であり、募金団体サーバ６１をそれぞれ備える。Ａ募金団体は、ａ飲料メーカーとｃ飲料メーカーと契約し、Ｂ募金団体は、ｂオペレータとｄオペレータと契約し、Ｃ募金団体は、ｃ飲料メーカーとｄオペレータと契約している。ａ飲料メーカー、ｂオペレータ、ｃ飲料メーカー、ｄオペレータは、自動販売機を管理する自動販売機管理業者であり、配信サーバ１１と自動販売機管理サーバ５１をそれぞれ備える。
【０１０４】
ａ飲料メーカーは、Ａ募金団体と契約し、複数の自動販売機２１ａを管理している。自動販売機２１ａでは、Ａ募金を実施しているため、Ａ募金団体の配信サーバから配信される募金情報を管理し、この募金情報に基づいて、上記募金の動作フローを実行している。ｂオペレーターは、Ｂ募金団体と契約し、複数の自動販売機２１ｃを管理している。自動販売機２１ｃでは、Ｂ募金を実施しているため、Ｂ募金団体の配信サーバから配信される募金情報を管理し、この募金情報に基づいて、上記募金の動作フローを実行している。ｃ飲料メーカーは、Ａ募金団体、Ｃ募金団体と契約し、複数の自動販売機２１ｃを管理している。自動販売機２１ｃでは、Ａ募金とＣ募金を実施しているため、Ａ募金団体とＣ募金団体の配信サーバから配信される募金情報を管理し、この募金情報に基づいて、上記募金の動作フローを実行している。ｄオペレータは、Ｂ募金団体、Ｃ募金団体と契約し、自動販売機２１ｄを管理している。自動販売機２１ｄでは、Ｂ募金とＣ募金を実施しているため、Ｂ募金団体とＣ募金団体の配信サーバから配信される募金情報を管理し、この募金情報に基づいて、上記募金の動作フローを実行している。
【０１０５】
このようなシステム構成により、募金システムでは、複数の自動販売機を接続し、配信サーバから配信される募金情報に基づいて、自動販売機が募金の動作フローを実行するので、外部から自動販売機に対して募金情報の設定や設定の変更を容易に行うことができ、これにより、定期的に行われる募金に対しては計画的に、また自然災害などの発生で突発的に実施される募金に対してはリアルタイムに対応することができる。
【０１０６】
図１６−２では、Ａ募金団体、Ｂ募金団体、Ｃ募金団体の募金団体毎の募金情報を管理する第三の上位機関であるＹ募金情報管理上位機関が設けられている。Ｙ募金情報管理上位機関は、募金団体毎に契約している自動販売機管理業者の情報を管理しており、この情報をもとに募金の種類と、募金の実施期間との情報を、募金を行う対象となる自動販売機に配信する配信サーバ１１を備える。Ａ募金団体、Ｂ募金団体、Ｃ募金団体は、募金団体サーバ６１をそれぞれ備える。Ａ募金団体は、ａ飲料メーカーとｃ飲料メーカーと契約し、Ｂ募金団体は、ｂオペレータとｄオペレータと契約し、Ｃ募金団体は、ｃ飲料メーカーとｄオペレータと契約している。ａ飲料メーカー、ｂオペレータ、ｃ飲料メーカー、ｄオペレータは、自動販売機を管理する自動販売機管理業者であり、自動販売機管理サーバ５１をそれぞれ備える。
【０１０７】
Ｙ募金情報管理上位機関の配信サーバは、各募金団体の募金情報を募金団体ごとに契約されている自動販売機管理業者の自動販売機に、各募金団体の募金情報を一手に配信する。自動販売機は、図１６‐１に示した複数募金情報配信サーバ型のシステムと同様、複数の募金情報を管理する構成を有する。
【０１０８】
このようなシステム構成により、募金システムでは、複数の自動販売機を接続し、配信サーバから配信される募金情報に基づいて、自動販売機が募金の動作フローを実行するので、外部から自動販売機に対して募金情報の設定や設定の変更を容易に行うことができ、これにより、定期的に行われる募金に対しては計画的に、また自然災害などの発生で突発的に実施される募金に対してはリアルタイムに対応することができる。
【０１０９】
また、この募金システムでは、募金情報管理上位機関が複数の募金団体の募金情報を管理するので、募金情報の管理および各自動販売機への募金情報の配信を効率よく行うことができる。
【０１１０】
また、この募金システムでは、募金団体、自動販売機運営会社もしくは募金情報管理上位機関である上位第三機関が募金を推進することにより、募金者に対して安心感や信頼感を与え、更なる募金の促進を行うことができる。
【０１１１】
次に、募金の運用の動作を説明する。図１７−１は、現金支払い時での募金の運用動作を説明するためのフローチャートであり、図１７−２は、企業などの部署別の募金の運用動作を説明するためのフローチャートであり、図１７−３は、プリペイドカード使用時でプリペイドカード発行者が自動販売機運営会社の場合の募金の運用動作を説明するためのフローチャートであり、図１７−４は、プリペイドカード使用時でプリペイドカード発行者がロケオーナーの場合の募金の運用動作を説明するためのフローチャートであり、図１７‐５は、カード（携帯電話を含む）による電子マネー使用時での募金の運用動作を説明するためのフローチャートであり、図１７−６は、ローカル型の電子マネー使用時での募金の運用動作を説明するためのフローチャートであり、図１７−７は、ポストペイカード使用時での募金の運用動作を説明するためのフローチャートである。なお、自動販売機運営会社は、自動販売機管理会社でもその他の第三者、たとえば自動販売機管理会社からの依託を受けた運営会社であってもよい。
【０１１２】
図１７−１では、（１）募金者が自動販売機２１に現金を投入して上述したように募金先（Ａ募金団体）に募金を行うと、その募金金額の情報がＡ募金団体とＥ自動販売機運営会社に通知される。なお、この通知動作は、以下の図１７−２〜図１７−７でも同様なので、以下では省略する。
【０１１３】
次に、（２）Ｅ自動販売機運営会社は、この自動販売機２１から商品購入代金を含む募金金額を回収し、（３）このうちの募金金額を募金先のＡ募金団体に支払う。
【０１１４】
図１７−２では、（１）募金者が自動販売機２１に現金を投入して上述したように募金先（Ａ募金団体）に募金を行うと、その募金金額の情報がＤ会社（たとえば総務部）にも通知される。
【０１１５】
次に、（２）Ｅ自動販売機運営会社は、この自動販売機２１から商品購入代金を回収するか、または（３）Ｄ会社から商品購入による売上の支払いを受ける。さらに、（４）Ｄ会社は、自動販売機２１から回収した募金金額をＡ募金団体に支払う。
【０１１６】
図１７−３では、（１）募金者がＦカード発行機から先払いのプリペイドカードを購入し、（２）そのプリペイドカードを自動販売機２１に投入して上述したように募金先（Ａ募金団体）に募金を行う。
【０１１７】
次に、（３）Ｅ自動販売機運営会社は、この自動販売機２１から商品購入代金を回収するとともに、（４）Ｆカード発光機の管理者（会社）からカード発行時の代金を回収する。そして、（５）Ｅ自動販売機運営会社は、この回収した代金の中から自動販売機２１で募金された募金金額をＡ募金団体に支払う。
【０１１８】
図１７−４では、（１）募金者が、Ｇロケオーナーが管理する先払いのカードを購入し、（２）自動販売機２１にこのカード（または携帯電話）を投入（接続）して、上述したように募金先（Ａ募金団体）に募金を行う。
【０１１９】
次に、（３）Ｅ自動販売機運営会社は、この自動販売機２１から商品購入代金を回収するとともに、（４）Ｇロケオーナーからカード（または携帯電話）使用時による自動販売機２１の売上および募金金額の支払いを受ける。そして、（５）Ｅ自動販売機運営会社は、この回収した金額の中から自動販売機２１で募金された募金金額をＡ募金団体に支払う。
【０１２０】
図１７−５では、（１）金額チャージ型の先払いの、たとえばＳＵＩＣＡ（登録商標）やＥｄｙ（登録商標）などのカード（携帯電話を含む）を、Ｈカード発行会社の金額チャージ型端末装置でチャージし、かつ（２）自動販売機２１にこのカード（または携帯電話）を投入（接続）して、上述したように募金先（Ａ募金団体）に募金を行う。このように、募金を行うと、売上（募金金額を含む）の情報がＩ電子マネー管理会社にも通知される。
【０１２１】
次に、（３）Ｅ自動販売機運営会社は、この自動販売機２１から商品購入代金を回収する。また、（４）Ｈカード発行会社は、カードチャージによる利用代金をＩ電子マネー管理会社に支払う。
【０１２２】
（５）このＩ電子マネー管理会社では、カード（携帯電話）使用による売上（募金金額を含む）をＥ自動販売機運営会社に支払い、（６）これに対して、Ｅ自動販売機運営会社は、Ｉ電子マネー管理会社に手数料を支払う。また、（７）Ｅ自動販売機運営会社は、この自動販売機２１から回収した金額およびＩ電子マネー管理会社から支払われた売上の中からから自動販売機２１で募金された募金金額をＡ募金団体に支払う。
【０１２３】
図１７−６では、（１）金額チャージ型の先払いのカードを、Ｅ自動販売機運営会社の金額チャージ型端末装置、または金額チャージ機能を有する自動販売機２１でチャージし、かつ（２）自動販売機２１にこのカードを投入して、上述したように募金先（Ａ募金団体）に募金を行う。
【０１２４】
次に、（３）Ｅ自動販売機運営会社は、この自動販売機２１から商品購入代金を回収し、（４）この自動販売機２１に入金された募金金額をＡ募金団体に支払う。
【０１２５】
図１７−７では、（１）後払いのカードを自動販売機２１に投入して、上述したように募金先（Ａ募金団体）に募金を行う。
【０１２６】
次に、（３）Ｅ自動販売機運営会社は、この自動販売機２１から商品購入代金を回収するとともに、自動販売機２１から受信した後払いのカードによる商品購入（募金金額も含む）による代金の支払い要求をＨカード発行会社に要求する。
【０１２７】
そして、Ｅ自動販売機運営会社は、Ｈカード発行会社から代金の支払いを受けると、その代金の中から募金金額を該当するＡ募金団体に対して支払う。
【０１２８】
このような構成により、自動販売機運営会社の募金回収から、対象募金団体への送金、募金金額の妥当性の確認を円滑に行うことができる仕組みを提供することで、各自動販売機運営会社が積極的に募金用の自動販売機を設置することができ、その結果、自動販売機の普及に結びつけることができる。
【産業上の利用可能性】
【０１２９】
以上のように、本発明にかかる情報配信装置、自動販売機、募金システムおよび募金方法は、自動販売機で募金の入金を行うのに有用であり、特に、外部から自動販売機に対して募金情報の設定や設定の変更を容易に行うことに適している。
【図面の簡単な説明】
【０１３０】
【図１】本発明にかかる募金システムのシステム構成の一例を示すシステム構成図である。
【図２】図１に示した配信サーバ１１のハードウエア構成の一例を示すブロック図である。
【図３】図１に示した配信サーバの機能的構成の一例を示すブロック図である。
【図４】図１に示した自動販売機の内部構成の一例を示す構成図である。
【図５】図１に示した自動販売機のハードウエア構成の一例を示すブロック図である。
【図６】図１に示した自動販売機の機能的構成を示すブロック図である。
【図７】図１に示した自動販売機管理サーバのハードウエア構成の一例を示すブロック図である。
【図８】図１に示した自動販売機管理サーバの機能的構成を示すブロック図である。
【図９】図１に示した募金団体サーバのハードウエア構成の一例を示すブロック図である。
【図１０】図１に示した募金団体サーバの機能的構成の一例を示すブロック図である。
【図１１】本発明の実施の形態にかかる複数募金実施時のタイムチャートである。
【図１２】図１１に示す（１）の時点における自動販売機の動作を説明するためのフローチャートである。
【図１３】図１１に示す（２）の時点における自動販売機の動作を説明するためのフローチャートである。
【図１４】図１１に示す（３）の時点における自動販売機の動作を説明するためのフローチャートである。
【図１５】図１１に示す（４）の時点における自動販売機の動作を説明するためのフローチャートである。
【図１６−１】システム構成の他の第１例を示した概略図である。
【図１６−２】システム構成の他の第２例を示した概略図である。
【図１７−１】現金支払い時での募金の運用動作を説明するためのフローチャートである。
【図１７−２】企業などの部署別の募金の運用動作を説明するためのフローチャートである。
【図１７−３】プリペイドカード使用時でプリペイドカード発行者が自動販売機運営会社の場合の募金の運用動作を説明するためのフローチャートである。
【図１７−４】プリペイドカード使用時でプリペイドカード発行者がロケオーナーの場合の募金の運用動作を説明するためのフローチャートである。
【図１７−５】カード（携帯電話を含む）による電子マネー使用時での募金の運用動作を説明するためのフローチャートである。
【図１７−６】ローカル型の電子マネー使用時での募金の運用動作を説明するためのフローチャートである。
【図１７−７】ポストペイカード使用時での募金の運用動作を説明するためのフローチャートである。
【符号の説明】
【０１３１】
１０  募金システム
１１  配信サーバ
２１，２１ａ〜２１ｄ  自動販売機
２２，２２ａ〜２２ｈ  商品見本
２３，２３ａ〜２３ｈ  販売価格表
２４，２４ａ〜２４ｈ  商品選択ボタン
２５  紙幣入金口
２６  硬貨入金口
２７  返却レバー
２８  カード挿入口
２９  接続部
３０  募金先指定ボタン
３１  テンキー
３２，３１２  表示部
３３  タッチパネル
３４  選択ボタン
３５  釣銭出金口
３６  取出口
３７  ＰＨＳアンテナ
５１  自動販売機管理サーバ
６１  募金団体サーバ
７１  ネットワーク
１０１，２２１，５０１，６０１  ＣＰＵ
１０２，２２５，５０２，６０２  ＲＯＭ
１０２ａ，５０２ａ，６０２ａ  ＯＳ
１０２ｂ，２２５ｂ，５０２ｂ，６０２ｂ  通信プログラム
１０２ｃ  募金情報指定プログラム
１０２ｄ  募金情報格納プログラム
１０３，２２４，５０３  ＲＡＭ
１０４，５０４  ＨＤＤ
１０５，５０５  ＨＤ
１０６，５０６  ＦＤＤ
１０７，５０７  ＦＤ
１０８，２２９，５０８  ディスプレイ
１０９，５０９  ＫＢ
１１０，５１０，６１０  マウス
１１１，５１１  スキャナ
１１２，５１２  プリンタ
１１３，５１３  Ｉ／Ｆ
１１４，２２８，５１４  バス
２０１  募金情報指定部
２０２，３０８，５２３，６２３  記憶部
２０３  募金情報配信部
２１１  商品見本部
２１２  商品選択部
２１３  カード部
２１３ａ，２１４ａ  読取書込部
２１３ｂ，２１４ｂ，３１３  情報出力部
２１４  携帯電話部
２１５  金銭処理部
２１６  通信部
２１７  主制御部
２２２  メモリ
２２５ａ  自動販売機制御プログラム
２２５ｃ  カード部制御プログラム
２２５ｄ  携帯電話部制御プログラム
２２５ｅ  募金決定プログラム
２２６  不揮発性メモリ（フラッシュメモリ）
２２７  ＦＩＦＯメモリ
３０１  募金設定部
３０２  募金先指定部
３０３  許可部
３０４  入金部
３０５  商品販売部
３０６  募金金額指定部
３０７  金額算出部
３０９  出金送信選択部
３１０  送信部
３１１  出金部
５０２ｃ，６０２ｃ  募金金額格納プログラム
５２１，６２１  受信部
５２２，６２２  加算部
５２４，６２６  出力部
６０２ｄ  募金金額比較プログラム
６２４  入力部
６２５  比較部
Ａ〜Ｃ  募金団体
Ｄ  会社
Ｅ  自動販売機運営会社
Ｆ  カード発行機
Ｇ  ロケオーナー
Ｈ  カード発行会社
Ｉ  電子マネー管理会社
Ｙ  募金情報管理上位機関
ａ，ｃ  飲料メーカー
ｂ，ｄ  オペレータ
【図１】
2007041884.tif 000003
【図２】
2007041884.tif 000004
【図３】
2007041884.tif 000005
【図４】
2007041884.tif 000006
【図５】
2007041884.tif 000007
【図６】
2007041884.tif 000008
【図７】
2007041884.tif 000009
【図８】
2007041884.tif 000010
【図９】
2007041884.tif 000011
【図１０】
2007041884.tif 000012
【図１１】
2007041884.tif 000013
【図１２】
2007041884.tif 000014
【図１３】
2007041884.tif 000015
【図１４】
2007041884.tif 000016
【図１５】
2007041884.tif 000017
【図１６−１】
2007041884.tif 000018
【図１６−２】
2007041884.tif 000019
【図１７−１】
2007041884.tif 000020
【図１７−２】
2007041884.tif 000021
【図１７−３】
2007041884.tif 000022
【図１７−４】
2007041884.tif 000023
【図１７−５】
2007041884.tif 000024
【図１７−６】
2007041884.tif 000025
【図１７−７】
2007041884.tif 000026